(57)【要約】【課題】画像投影システムにおいて、ユーザが、周囲の照度に応じて光源から出射される光の強さを自動調整する機能の有無を選択可能にして、この機能が不要な場合には、プロジェクタの製造コストを低減させることができる。【解決手段】画像投影システムは、プロジェクタとリモコンとから構成される。リモコンは、光の照度を測定するための照度センサを備える。ユーザによって操作ボタンの内のいずれか１つが操作されると（Ｓ１）、リモコンの制御部が、照度センサを用いて周囲の照度を測定した後（Ｓ２）、測定した照度の情報をプロジェクタに送信する（Ｓ３）。そして、リモコンの制御部は、上記Ｓ２で照度を測定した時点から、メモリに記憶されている測定時間間隔だけ経過したか否かを判断し（Ｓ４）、経過した場合（Ｓ５でＹＥＳ）、上記Ｓ２以降の処理を繰り返す。【選択図】図５
2008244671.tif 000002
【特許請求の範囲】
【請求項１】
プロジェクタ本体と、このプロジェクタの操作用のリモコンとから構成され、
前記プロジェクタ本体は、コンピュータ等から出力された画像データに基づく画像を生成する画像形成素子と、この画像形成素子により生成された画像を投影するための光を出射する光源と、この光源から出射される光の強さを制御するためのプロジェクタ制御手段と、装置を指示するための信号を受信するための赤外線信号受信手段とを備え、
前記リモコンは、前記プロジェクタに対して、各種の指示を行うための複数の操作ボタンと、ユーザによる操作に対応した赤外線信号を前記プロジェクタに送信するための赤外線信号送信手段と、該リモコン各部を制御するためのリモコン制御手段とを備える画像投影システムにおいて、
前記リモコンは、
周囲の光の照度を測定するための照度センサと、
前記照度センサによる照度の測定時間間隔を記憶するための記憶手段とをさらに備え、
前記リモコン制御手段は、
ユーザによって前記複数の操作ボタンの内のいずれか１つが操作されると、前記照度センサを用いて照度を測定した後、前記赤外線信号送信手段を用いて、測定した照度を前記プロジェクタに送信し、
前記記憶手段に記憶されている測定時間間隔が経過する毎に、前記照度センサを用いて照度を測定した後、前記赤外線信号送信手段を用いて、測定した照度を前記プロジェクタに送信する処理を繰り返し、
前記プロジェクタ制御手段は、前記リモコンの赤外線信号送信手段により送信された照度を前記赤外線信号受信手段により受信して、この照度に応じて前記光源から出射される光の強さを制御することを特徴とする画像投影システム。
【請求項２】
プロジェクタ本体と、このプロジェクタの操作用のリモコンとから構成され、
前記プロジェクタ本体は、画像投影用の光を出射する光源と、この光源から出射される光の強さを制御するためのプロジェクタ制御手段とを備え、
前記リモコンは、前記プロジェクタに対して、各種の指示を行うための複数の操作ボタンと、ユーザによる操作に対応した赤外線信号を前記プロジェクタに送信するための赤外線信号送信手段と、該リモコン各部を制御するためのリモコン制御手段とを備える画像投影システムにおいて、
前記リモコンは、
周囲の光の照度を測定するための照度センサと、
ユーザによって操作され、前記照度センサを用いて周囲の光の照度の測定を行うことを指示するための照度測定ボタンとをさらに備え、
前記リモコン制御手段は、ユーザによって前記照度測定ボタンが操作されると、前記照度センサを用いて照度を測定した後、前記赤外線信号送信手段を用いて、測定した照度を前記プロジェクタに送信し、
前記プロジェクタ制御手段は、前記リモコンの赤外線信号送信手段により送信された照度に応じて、前記光源から出射される光の強さを制御することを特徴とする画像投影システム。
【請求項３】
前記リモコンは、前記照度センサによる照度の測定時間間隔を記憶するための記憶手段をさらに有し、
前記リモコン制御手段は、
ユーザによって前記照度測定ボタンが操作されると、前記照度センサを用いて照度を測定した後、前記赤外線信号送信手段を用いて、測定した照度を前記プロジェクタに送信し、
前記記憶手段に記憶されている測定時間間隔が経過する毎に、前記照度センサを用いて照度を測定した後、前記赤外線信号送信手段を用いて、測定した照度を前記プロジェクタに送信する処理を繰り返すことを特徴とする請求項２に記載の画像投影システム。
【発明の詳細な説明】
【技術分野】
【０００１】
本発明は、画像投影システムに関し、特に光源から出射される光の強さの調整技術に関する。
【背景技術】
【０００２】
近年、プロジェクタ本体に照度センサが設けられ、照度センサによって測定された照度に応じて光源から出射される光の強さを自動的に調整することができるプロジェクタが知られている。しかし、この種のプロジェクタは、装置本体に照度センサが設けられているため、プロジェクタ本体の製造コストが高くなるという問題がある。また、光源から出射される光の強さを手動で調整したいユーザにとって照度センサは必要ない。しかし、上記従来のプロジェクタでは、プロジェクタ装置本体に照度センサが設けられているため、ユーザが照度センサの有無を選択することができないという問題もある。
【０００３】
特許文献１には、照度センサ、調光コントローラ、プロジェクタ、及び各装置を制御するためのホームシアタコントローラを備える画像投影制御システムが開示されている。しかし、このシステムは、照度センサによって測定された照度に応じてプロジェクタから出射される光の強さを調整するものではないので、上記問題を解決できない。また、特許文献２には、プロジェクタ本体に照度センサを設け、照度センサによって測定された照度に応じて、映像信号の輝度成分や色成分を変化させ、映像成分を投影することができるプロジェクタが開示されている。しかし、このプロジェクタ本体に照度センサが設けられているため、上記問題を解決できない。
【特許文献１】特開２００１−３５２５８９号公報
【特許文献２】特開２００６−２６７１４４号公報
【発明の開示】
【発明が解決しようとする課題】
【０００４】
本発明は、上記問題を解決するためになされたものであり、ユーザが、周囲の照度に応じて光源から出射される光の強さを自動調整する機能の有無を選択可能にして、ユーザがこの機能を必要としない場合には、プロジェクタの製造コストを低減させることができる画像投影システムを提供することを目的とする。
【課題を解決するための手段】
【０００５】
上記目的を達成するために請求項１の発明は、プロジェクタ本体と、このプロジェクタの操作用のリモコンとから構成され、前記プロジェクタ本体は、コンピュータ等から出力された画像データに基づく画像を生成する画像形成素子と、この画像形成素子により生成された画像を投影するための光を出射する光源と、この光源から出射される光の強さを制御するためのプロジェクタ制御手段と、装置を指示するための信号を受信するための赤外線信号受信手段とを備え、前記リモコンは、前記プロジェクタに対して、各種の指示を行うための複数の操作ボタンと、ユーザによる操作に対応した赤外線信号を前記プロジェクタに送信するための赤外線信号送信手段と、該リモコン各部を制御するためのリモコン制御手段とを備える画像投影システムにおいて、前記リモコンは、周囲の光の照度を測定するための照度センサと、前記照度センサによる照度の測定時間間隔を記憶するための記憶手段とをさらに備え、前記リモコン制御手段は、ユーザによって前記複数の操作ボタンの内のいずれか１つが操作されると、前記照度センサを用いて照度を測定した後、前記赤外線信号送信手段を用いて、測定した照度を前記プロジェクタに送信し、前記記憶手段に記憶されている測定時間間隔が経過する毎に、前記照度センサを用いて照度を測定した後、前記赤外線信号送信手段を用いて、測定した照度を前記プロジェクタに送信する処理を繰り返し、前記プロジェクタ制御手段は、前記リモコンの赤外線信号送信手段により送信された照度を前記赤外線信号受信手段により受信して、この照度に応じて前記光源から出射される光の強さを制御するものである。
【０００６】
請求項２の発明は、プロジェクタ本体と、このプロジェクタの操作用のリモコンとから構成され、前記プロジェクタ本体は、画像投影用の光を出射する光源と、この光源から出射される光の強さを制御するためのプロジェクタ制御手段とを備え、前記リモコンは、前記プロジェクタに対して、各種の指示を行うための複数の操作ボタンと、ユーザによる操作に対応した赤外線信号を前記プロジェクタに送信するための赤外線信号送信手段と、該リモコン各部を制御するためのリモコン制御手段とを備える画像投影システムにおいて、前記リモコンは、周囲の光の照度を測定するための照度センサと、ユーザによって操作され、前記照度センサを用いて周囲の光の照度の測定を行うことを指示するための照度測定ボタンとをさらに備え、前記リモコン制御手段は、ユーザによって前記照度測定ボタンが操作されると、前記照度センサを用いて照度を測定した後、前記赤外線信号送信手段を用いて、測定した照度を前記プロジェクタに送信し、前記プロジェクタ制御手段は、前記リモコンの赤外線信号送信手段により送信された照度に応じて、前記光源から出射される光の強さを制御するものである。
【０００７】
請求項３の発明は、請求項２に画像投影システムにおいて、前記リモコンは、前記照度センサによる照度の測定時間間隔を記憶するための記憶手段をさらに有し、前記リモコン制御手段は、ユーザによって前記照度測定ボタンが操作されると、前記照度センサを用いて照度を測定した後、前記赤外線信号送信手段を用いて、測定した照度を前記プロジェクタに送信し、前記記憶手段に記憶されている測定時間間隔が経過する毎に、前記照度センサを用いて照度を測定した後、前記赤外線信号送信手段を用いて、測定した照度を前記プロジェクタに送信する処理を繰り返すものである。
【発明の効果】
【０００８】
本発明によれば、リモコン制御手段は、照度センサを用いて照度を測定した後、測定した照度をプロジェクタに送信し、プロジェクタ制御手段は、リモコンの赤外線信号送信手段により送信された照度に応じて、光源から出射される光の強さを制御する。そのため、リモコンを用いて、プロジェクタの光源から出射される光の強さを自動で調整させることができる。
【０００９】
また、従来のように、プロジェクタ本体に照度センサが設けられていないので、ユーザがリモコンを購入するか否かによって、照度センサの有無（周囲の照度に応じて光源から出射される光の強さを自動調整する機能の有無）を選択することができる。これにより、ユーザが上記の機能を必要としない場合には、プロジェクタの製造コストを低減させることができる。
【発明を実施するための最良の形態】
【００１０】
以下、本発明の第１の実施形態に係る画像投影システムについて、図１乃至図４を参照して説明する。図１は、プロジェクタ２と、このプロジェクタ２の操作用のリモコン３とから構成される画像投影システム１を示す。図２は、プロジェクタ２の内部構成を示す。図３は、リモコン３の上面を示し、図４は、リモコン３の内部構成を示す。プロジェクタ２は、リモコン３によって操作され、例えばパーソナルコンピュータやビデオカメラなどから入力された画像データを用いて画像を形成し、形成した画像を前方に設けられたスクリーン（図示せず）などに拡大して投影する装置である。
【００１１】
プロジェクタ２は、図２に示すように、パーソナルコンピュータやビデオカメラ等から出力された画像データが入力される信号入力端子２２と、リモコン３から送信された赤外線信号を受信するための赤外線信号受信部（赤外線信号受信手段）２６と、画像投影用の光を出射するランプ２４ａ（光源）を有するランプユニット２４とを備える。また、プロジェクタ２は、マイクロミラー素子から構成され、ランプ２４ａから出射された光を用いて、信号入力端子２２から入力された画像データに基づく画像を生成するＤＭＤ（画像形成素子）２３と、ランプ２４ａを冷却するための空気を送風するファン２５ａを有するファンユニット２５と、装置各部を制御するための制御部（プロジェクタ制御手段）２１とをさらに備える。
【００１２】
赤外線信号受信部２６は、リモコン３から送信された赤外線信号を受光し、この赤外線信号を対応する電気パルス信号に変換して制御部２１へ出力する。
【００１３】
制御部２１は、ＤＭＤ２３にミラー駆動用信号及びＤＭＤ制御信号を、ランプユニット２４にランプ２４ａのオン／オフ制御信号、及びランプ２４ａから出射される光の強さを調整するため制御信号を、ファンユニット２５にファン２５ａの回転速度制御信号をそれぞれ送信している。また、制御部２１は、赤外線信号受信部２６から受信した電気パルス信号に基づいて、リモコン３から出力された赤外線信号の内容を判断し、装置各部の動作を制御する。
【００１４】
リモコン３は、図３及び図４に示すように、ユーザによる操作に対応した赤外線信号をプロジェクタ２に送信するための赤外線信号送信部（赤外線信号送信手段）３１と、周囲の光の照度を測定するための照度センサ３２と、ユーザによって操作され、プロジェクタ２に対して各種の指示を行うための複数の操作ボタン３３ａ〜３３ｍとを備える。また、リモコン３は、各種の情報を記憶するためのメモリ（記憶手段）３４と、リモコン３の各部を制御するための制御部（リモコン制御手段）３５とをさらに備える。メモリ３４には、照度センサ３２による照度の測定時間間隔が記憶されている。なお、測定時間間隔は、ユーザによって任意に設定可能である。
【００１５】
次に、リモコン３による照度の測定処理の手順について、図５に示すフローチャートを参照して説明する。ここでは、照度の測定時間間隔が、例えば、測定時間間隔が３０分間間隔と予め設定されている（メモリ３４に記憶されている）ものとする。まず、ユーザによって操作ボタン３３ａ〜３３ｍの内のいずれか１つが操作されると（Ｓ１）、制御部３５が、照度センサ３２を用いて周囲の照度を測定した後（Ｓ２）、赤外線信号送信部３１を用いて、測定した照度の情報をプロジェクタ２に送信する（Ｓ３）。
【００１６】
そして、制御部３５は、上記Ｓ２で照度を測定した時点から、メモリ３４に記憶されている測定時間間隔だけ経過したか否かを判断し（Ｓ４）、経過した場合（Ｓ５でＹＥＳ）、上記Ｓ２以降の処理を繰り返す。一方、上記Ｓ４の判断の結果、経過していない場合（Ｓ５でＮＯ）、制御部３５は、照度の測定を行わないで待機した後（Ｓ６）、上記Ｓ４以降の処理を行う。
【００１７】
次に、リモコン３から照度の情報を受信したときのプロジェクタ２の処理について、図６に示すフローチャートを参照して説明する。制御部２１は、赤外線信号受信部２６からリモコン３により送信された照度の情報を受信し（Ｓ１１）、受信した照度の情報に応じてランプ２４ａから出射される光の強さを調整し（Ｓ１２）、処理を終了する。
【００１８】
上記のように、本実施形態に係る画像投影システム１によれば、リモコン３の制御部３５は、照度センサ３２を用いて照度を測定した後、赤外線信号送信部３１を用いて、測定した照度の情報をプロジェクタ２に送信する。そして、プロジェクタ２の制御部２１は、リモコン３から送信された照度の情報を含む赤外線信号を受信し、受信した照度に応じて、ランプ２４ａから出射される光の強さを調整することができる。そのため、ユーザは、リモコン３を用いて、プロジェクタ２のランプ２４ａから出射される光の強さを自動で調整させることができる。
【００１９】
また、従来のように、プロジェクタ２の本体に照度センサが設けられていないので、ユーザがリモコン３を購入するか否かによって、照度センサ３２の有無を選択することができる。これにより、ユーザがランプ２４ａから出射される光の強さを自動で調整させる機能を必要としない場合には、プロジェクタ２の製造コストを低減させることができる。
【００２０】
次に、本発明の第２の実施形態に係る画像投影システム１について、図７及び図８を参照して説明する。図７は、リモコン３の上面を示し、図８は、リモコン３の内部構成を示す。本実施形態に係る画像投影システムは、プロジェクタ２と、このプロジェクタ２の操作用のリモコン３とから構成される。本実施形態に係るプロジェクタ２は、第１の実施形態に係るプロジェクタ２と同様の構成であり説明を省略する。本実施形態に係るリモコン３は、ユーザによって操作され、照度センサ３２を用いて周囲の光の照度の測定を行うことを指示するための照度測定ボタン３６をさらに備えていること以外は、第１の実施形態に係るリモコンと同様の構成である。照度センサ３２を用いた照度の測定は、照度測定ボタンを操作する場合に限って開始される。
【００２１】
次に、リモコン３による照度の測定処理の手順について、図９に示すフローチャートを参照して説明する。ここでは、照度の測定時間間隔が予め設定されている（メモリ３４に記憶されている）ものとする。まず、ユーザによって照度測定ボタン３６が操作されると（Ｓ２１）、制御部３５が、照度センサ３２を用いて照度を測定した後（Ｓ２２）、赤外線信号送信部３１を用いて、測定した照度の情報をプロジェクタ２に送信する（Ｓ２３）。
【００２２】
そして、制御部３５は、上記Ｓ２２において照度を測定した時から、メモリ３４に記憶されている測定時間間隔だけ経過したか否かを判断し（Ｓ２４）、経過した場合（Ｓ２５でＹＥＳ）、上記Ｓ２２以降の処理を繰り返す。一方、上記Ｓ２４の判断の結果、経過していない場合（Ｓ２５でＮＯ）、制御部３５は、照度の測定を行わないで待機した後（Ｓ２６）、上記Ｓ２４以降の処理を行う。
【００２３】
上記のように、本実施形態に係る画像投影システム１によれば、第１の実施形態に係る画像投影システムと同様の効果を得ることができる。
【００２４】
なお、本発明は、上記の各実施形態の構成に限定されるものではなく、発明の趣旨を変更しない範囲で種々の変更が可能である。例えば、上記の各実施形態では、照度を測定し、測定した照度をプロジェクタ２に送信した後、一定時間経過する都度、照度測定と照度の送信を繰り返す場合の例を示したが、これに限られず、照度測定と照度の送信を繰り返し行わないものであってもよい。
【図面の簡単な説明】
【００２５】
【図１】本発明の第１の実施形態に係るプロジェクタ、及びリモコンから構成される画像投影システムを示す図。
【図２】上記プロジェクタの構成を示すブロック図。
【図３】上記リモコンの上面を示す図。
【図４】上記リモコンの構成を示すブロック図。
【図５】上記リモコンにおける照度の測定処理の手順を示すフローチャート。
【図６】上記プロジェクタにおける光の強さの調整処理の手順を示すフローチャート。
【図７】本発明の第２の実施形態に係るリモコンの上面を示す図。
【図８】上記リモコンの構成を示すブロック図。
【図９】上記リモコンにおける照度の測定処理の手順を示すフローチャート。
【符号の説明】
【００２６】
１  画像投影システム
２  プロジェクタ
３  リモコン
２１  制御部（プロジェクタ制御部）
２３  ＤＭＤ（画像形成素子）
２４ａ  ランプ（光源）
２６  赤外線信号受信部（赤外線信号受信手段）
３１  赤外線信号送信部（赤外線信号送信手段）
３２  照度センサ
３３ａ〜１３ｍ  操作ボタン
３４  メモリ（記憶手段）
３５  制御部（リモコン制御手段）
３６  照度測定ボタン
【図１】
2008244671.tif 000003
【図２】
2008244671.tif 000004
【図３】
2008244671.tif 000005
【図４】
2008244671.tif 000006
【図５】
2008244671.tif 000007
【図６】
2008244671.tif 000008
【図７】
2008244671.tif 000009
【図８】
2008244671.tif 000010
【図９】
2008244671.tif 000011